(57)【要約】【課題】  本発明の目的は、紫外線を脱臭フィルタの全面に均一に照射すること及び光源の設置による通気抵抗の上昇を防止すること、を両立させた光触媒脱臭装置を提供することである。【解決手段】本発明に係る光触媒脱臭装置（１００）は、吸入空気の流れを整えるベルマウス（２６）を吸気口（３０）の上流側手前に配置し、光源（２５）はベルマウスとほぼ同一径を有するリング形状とし、空気流れ（１４ｃ）方向についてベルマウスの表面と光源の表面とがほぼ連続面を形成するように吸い込み形状を一致させ、且つ脱臭フィルタ（２４）が全面照射される位置に光源を配置したことを特徴とする。【選択図】図１ 
2005087465.tif 000002
【特許請求の範囲】
【請求項１】
空気吸気口から浄化空気吐出口に向かって空気流れを形成する空気通路に、光触媒を担持した脱臭フィルタと、該脱臭フィルタの下流側に前記脱臭フィルタの光触媒を活性化する光を照射する光源及び前記空気流れを形成するブロアとを配置した光触媒脱臭装置において、
前記ブロアの吸気口に向けて吸入空気の流れを整えるベルマウスを該吸気口の上流側手前に配置し、
前記光源は前記ベルマウスとほぼ同一径ないし該ベルマウスの外径とほぼ同一内径を有するリング形状とし、
前記ブロアに吸入される空気流れ方向について前記ベルマウスの表面と前記光源の表面とがほぼ連続面を形成するように吸い込み形状を一致させ、
且つ前記脱臭フィルタが全面照射される位置に前記光源を配置したことを特徴とする光触媒脱臭装置。
【請求項２】
前記脱臭フィルタは、内径が前記光源よりも大きな中空柱体形状の脱臭フィルタとし、該脱臭フィルタの中空内面が全面照射される位置に前記光源を配置したことを特徴とする請求項１記載の光触媒脱臭装置。
【請求項３】
前記ブロアのケース又は前記ベルマウスに、前記光源のリンク形状外周側から該光源を保持する係止手段を設けたことを特徴とする請求項１又は２記載の光触媒脱臭装置。
【請求項４】
空気吸気口から浄化空気吐出口に向かって空気流れを形成する空気通路に、光触媒を担持した脱臭フィルタと、該脱臭フィルタの下流側に前記脱臭フィルタの光触媒を活性化する光を照射する光源及び前記空気流れを形成するブロアとを配置した光触媒脱臭装置において、
前記ブロアの吸気口に向けて吸入空気の流れを整えるリング形状のガイドを配列したファンガードを該吸気口の上流側手前に配置し、
前記光源は前記ガイドとほぼ同一径のリング形状とし、
前記ブロアに吸入される空気流れ方向について前記ガイドの表面と前記光源の表面とがほぼ連続面を形成するように吸い込み形状を一致させ、
且つ前記脱臭フィルタが全面照射される位置に前記光源を配置したことを特徴とする光触媒脱臭装置。
【請求項５】
前記ガイドに、前記光源のリンク形状外周側から該光源を保持する係止手段を設けたことを特徴とする請求項４記載の光触媒脱臭装置。
【請求項６】
前記光源は管状ランプをリング形状に形成したものであり、該リング形状の軸に対する横断面は円形状、楕円形状、長方形又は釣鐘形状であることを特徴とする請求項１、２、３、４又は５記載の光触媒脱臭装置。
【請求項７】
前記光源はリング形状の基板上に複数のＬＥＤを配置した光源であることを特徴とする請求項１、２、３、４又は５記載の光触媒脱臭装置。
【請求項８】
前記脱臭フィルタはプリーツ状に加工したものであり、該脱臭フィルタと同一間隔のプリーツ形状の集塵フィルタを空気流れ上流側から該脱臭フィルタに重ねて配置したことを特徴とする請求項１、２、３、４、５、６又は７記載の光触媒脱臭装置。
【発明の詳細な説明】
【技術分野】
【０００１】
本発明は、室内空気中の汚れ物質を除去して清浄にする空気清浄機能及び光触媒による脱臭機能を有する光触媒脱臭装置に関し、特に車両用空調装置内に設置する光触媒脱臭装置に関する。
【背景技術】
【０００２】
自動車の車室内には、排気ガスやタバコなどの空気質汚染物質が存在しており、その除去の必要性は年々増加している。そこで、車両に空気清浄装置、特に脱臭機能を有する光触媒脱臭装置を設置することが多くなっている。
【０００３】
しかし、従来の光触媒脱臭装置では、光源として棒状又は板状の紫外線ランプを用いている（例えば特許文献１を参照。）。このため、脱臭フィルタに照射される紫外線の強度はランプに近い領域では強く、遠い領域ほど弱くなり、紫外線による光触媒の活性化にムラがあった。これを克服するため、紫外線を脱臭フィルタの全面に均一に照射しようとした場合、光源の設置による通気抵抗の上昇が生じ、エアコン性能に悪影響を及ぼす場合があった。
【特許文献１】特開２００１−７９０７２号公報、図１
【０００４】
さらに光源により空気流れが乱れ、渦流が生じて空気流れ音が生じる。そこで静音化対策の施された光触媒脱臭装置が求められる。
【発明の開示】
【発明が解決しようとする課題】
【０００５】
本発明は、光触媒を担持した脱臭フィルタへの紫外線照射ムラを少なくして紫外線を脱臭フィルタの全面に均一に照射すること及び光源の設置による通気抵抗の上昇を防止することを両立させた光触媒脱臭装置を提供することである。
【課題を解決するための手段】
【０００６】
上記目的を達成するために本発明者らは、リング形状の光源をブロアの吸気口に設けたベルマウスの吸い込み形状に一致するように設置することで、脱臭フィルタへの紫外線均一照射と通気抵抗の上昇防止を同時に実現できることを見出し、本発明を完成させた。すなわち本発明に係る光触媒脱臭装置は、空気吸気口から浄化空気吐出口に向かって空気流れを形成する空気通路に、光触媒を担持した脱臭フィルタと、該脱臭フィルタの下流側に前記脱臭フィルタの光触媒を活性化する光を照射する光源及び前記空気流れを形成するブロアとを配置した光触媒脱臭装置において、前記ブロアの吸気口に向けて吸入空気の流れを整えるベルマウスを該吸気口の上流側手前に配置し、前記光源は前記ベルマウスとほぼ同一径ないし該ベルマウスの外径とほぼ同一内径を有するリング形状とし、前記ブロアに吸入される空気流れ方向について前記ベルマウスの表面と前記光源の表面とがほぼ連続面を形成するように吸い込み形状を一致させ、且つ前記脱臭フィルタが全面照射される位置に前記光源を配置したことを特徴とする。リング形状の光源をブロアのベルマウスの吸い込み形状に一致させて配置させることで、通気抵抗の増加を防ぐと共にリング形状の光源が脱臭フィルタを全面にわたって紫外線照射することが可能となる。光源が脱臭フィルタを全面にわたって紫外線照射することで脱臭の効率化、脱臭フィルタの長寿命化を実現できる。
【０００７】
本発明に係る光触媒脱臭装置では、前記脱臭フィルタは、内径が前記光源よりも大きな中空柱体形状の脱臭フィルタとし、該脱臭フィルタの中空内面が全面照射される位置に前記光源を配置することが好ましい。板状のフィルタのみならず、円筒形状、楕円筒形状若しくは角筒形状等の中空柱体形状のフィルタを使用したとしても、通気抵抗を上昇させずに、脱臭フィルタの全面に光を照射させるものである。
【０００８】
本発明に係る光触媒脱臭装置では、前記ブロアのケース又は前記ベルマウスに、前記光源のリンク形状外周側から該光源を保持する係止手段を設けることが好ましい。リング形状の光源は、ベルマウスの吸い込み形状に一致するようにブロアのケース又はベルマウスに固定されると共にその係止手段はリング形状外側から光源を固定するため、吸入される空気流れの阻害は少ない。
【０００９】
また、本発明に係る光触媒脱臭装置は、空気吸気口から浄化空気吐出口に向かって空気流れを形成する空気通路に、光触媒を担持した脱臭フィルタと、該脱臭フィルタの下流側に前記脱臭フィルタの光触媒を活性化する光を照射する光源及び前記空気流れを形成するブロアとを配置した光触媒脱臭装置において、前記ブロアの吸気口に向けて吸入空気の流れを整えるリング形状のガイドを配列したファンガードを該吸気口の上流側手前に配置し、前記光源は前記ガイドとほぼ同一径のリング形状とし、前記ブロアに吸入される空気流れ方向について前記ガイドの表面と前記光源の表面とがほぼ連続面を形成するように吸い込み形状を一致させ、且つ前記脱臭フィルタが全面照射される位置に前記光源を配置したことを特徴とする。ファンガードを配置する場合には、ファンガードのガイドに光源を吸い込み形状が一致するように配置させることで、通気抵抗の増加を防ぐと共にリング形状の光源が脱臭フィルタを全面にわたって紫外線照射することが可能となる。このとき、前記ガイドに、前記光源のリンク形状外周側から該光源を保持する係止手段を設けることが好ましい。
【００１０】
本発明に係る光触媒脱臭装置では、前記光源は管状ランプをリング形状に形成したものであり、該リング形状の軸に対する横断面は円形状、楕円形状、長方形又は釣鐘形状であることが好ましい。ベルマウスやガイドに光源を吸い込み形状が一致するように最適な光源の断面形状である。
【００１１】
或いは本発明に係る光触媒脱臭装置では、前記光源はリング形状の基板上に複数のＬＥＤを配置した光源であっても良い。光源はブラックライトやキセノンランプ等の管状ランプのみならず、紫外線を照射するＬＥＤ（発光ダイオード）でも使用しうる。
【００１２】
さらに本発明に係る光触媒脱臭装置では、前記脱臭フィルタはプリーツ状に加工したものであり、該脱臭フィルタと同一間隔のプリーツ形状の集塵フィルタを空気流れ上流側から該脱臭フィルタに重ねて配置したことが好ましい。集塵フィルタと脱臭フィルタとすることで、それぞれの寿命にあわせて交換できるため、経済的な光触媒脱臭装置となりうる。
【発明の効果】
【００１３】
本発明では、光触媒を担持した脱臭フィルタへの紫外線照射ムラを少なくして紫外線を脱臭フィルタの全面に均一に照射することと及び光源の設置による通気抵抗の上昇を防止することを両立させることができるため、静音、省エネルギー、脱臭の効率化、脱臭フィルタの長寿命化を実現できる。ベルマウスが大型化し、通気抵抗が低く大風量が得られる。
【発明を実施するための最良の形態】
【００１４】
以下、本発明について実施形態を示しながら詳細に説明するが本発明はこれらの記載に限定して解釈されない。図１〜図７を参照しながら本実施形態に係る光触媒脱臭装置について説明する。図１（ａ）は本実施形態に係る光触媒脱臭装置１００の一形態を示す概略図である。光触媒脱臭装置１００は、空気吸気口２０から浄化空気吐出口（不図示）に向かって空気通路２１ａ、２１ｂ、２１ｃを形成する本体ケース１０を備える。本体ケース１０はインテークハウジング１１と、インテークハウジング１１に連通するブロアハウジング１２と、ブロアハウジング１２の下流側で連通する空調ハウジング１５を含んでいる。インテークハウジング１１にはインテークドア１３によって開閉される外気吸気口２０ａと内気吸気口２０ｂと、これら空気吸気口２０に連通する空気通路２１ａとが形成されている。空気通路２１ａには、脱臭フィルタ２４を含むフィルタユニット２２が設けられ、さらにその下流側には脱臭フィルタに担持された光触媒を活性化する光を照射するリング形状の光源２５が設けられている。
【００１５】
インテークハウジング１１の末端は、ブロアハウジング１２の天板（案内板）２９に接続されている。この天板２９には、下方に向かって伸びると共に次第に縮径するベルマウス（案内口）２６が形成されている。
【００１６】
ブロアハウジング１２は空気通路２１ｂを有し、この空気通路２１ｂに、軸線を垂直に向けたブロア２７が収容されている。ブロア２７の上面には、吸気口３０が形成されており、この吸気口３０がベルマウス２６に連なっている。ブロア２７は電動モーター２８により回転され、空気通路内に空気流れを形成する。ブロア２７の稼動により、インテークハウジング１１の空気吸気口２０から空気が取り込まれる。そして、外気吸気口２０ａからの空気流れ１４ａ或いは内気吸気口２０ｂからの空気流れ１４ｂがフィルタユニット２２に向かって形成され、フィルタユニット２２を通過した空気流れ１４ｃがブロアハウジング１２内に吸入される。すなわち、ベルマウス２６を伝って吸気口３０に吸い込まれ、この吸気口３０からブロア２７の径方向に送り出される。その後、空気はブロアハウジング１２の空気通路２１ｂに沿って下流に向けて空気流れ１４ｄとして流れる。そしてブロアハウジング１２に連なる空調ハウジング１５の空気通路２１ｃを空気流れ１４ｅとして通る。空調ハウジング１５は、クーラーユニットとヒータユニットを含む。空調ハウジング１５内で、不図示のエバポレータやヒーターコアで温度調節され、その後、浄化空気吐出口である、ベント吹出し口（不図示）、サイドベント吹出し口（不図示）若しくはソフトディフージョン吹出し口（不図示）、又はフット吹出し口（不図示）等から車室内へ吐出される。
【００１７】
なお、図１ではブロアは、遠心式のシロッコファンを示したが、ターボファンであっても良く、さらに貫流式送風機であっても良い。
【００１８】
まず、本実施形態に係るフィルタユニット２２について説明する。フィルタユニット２２は空気を浄化するためのものであり、フィルタ面が覆われないようにフィルタ端部を固定するフィルタ枠３１に、集塵フィルタ２３と脱臭フィルタ２４とを組み合わせて組み込まれている。集塵フィルタ２３と脱臭フィルタ２４のフィルタ材質は特に制限はないが、紙質材料、樹脂材料等の繊維質材料により形成する。また樹脂等の不織布であることが好ましい。フィルタ径は、塵埃物質や臭気物質の捕捉効率並びに通気抵抗の関係から最適なものを選択し、本発明はフィルタ径に制限されない。またフィルタ枠３１の材質は特に制限はないが、ポリプロピレン等の樹脂で成形したものが好ましい。
【００１９】
脱臭フィルタ２４には、活性炭、ゼオライト、シリカゲルなどの粉末からなる吸着剤と、酸化チタンや酸化亜鉛などの金属酸化物の粉末からなる光触媒とが担持されている。吸着剤粉末は活性炭が好ましい。光触媒は、吸着剤と混合したもので、混合方法としてはスプレー法や吸着剤と混合する方法などが例示できる。脱臭フィルタ２４の光触媒に紫外線が照射されることによって、吸着水からＯＨラジカルが発生する。このＯＨラジカルの強酸化力によって、脱臭フィルタ２４の吸着剤に吸着されている臭気物質が分解され、吸着剤が再生される。
【００２０】
図１では集塵フィルタ２３と脱臭フィルタ２４とを別体として重ね合わせた構造としているので、それぞれの交換時期に合わせてフィルタを交換することが可能となる。例えば、集塵フィルタを４００時間（１年使用相当）で交換し、脱臭フィルタを１２００時間（３年使用相当）で交換する。この場合、脱臭フィルタ２４は、集塵フィルタ２３で空気中の塵埃を捕捉した後の空気について、臭気物質を吸着して除去することとなる。集塵フィルタ２３により塵埃を除去することで、脱臭フィルタ２４には臭気物質のみを捕捉させることができるため、脱臭を高効率とすることができる。
【００２１】
なお、集塵フィルタ２３を設けずに脱臭フィルタ２４のみからなるフィルタとしても良い。ただし自動車の車室内には、浮遊粒子状物質（ＳＰＭ）やタバコなどの粒子状の空気質汚染物質、ディーゼル車追従走行時や工場周辺走行時に感じる悪臭ガス、カビ菌や化膿菌等の浮遊性微生物が存在しているため、これらを除去したいとの要望が年々増加しているため、脱臭フィルタによる脱臭効果に加えて集塵フィルタによる集塵効果を付加させた図１に示す集塵脱臭フィルタとすることが望ましい。
【００２２】
さらに、これらのフィルタ２３，２４はフィルタ面積を大きくしフィルタ寿命の長寿命化を図るために図１に示すようにプリーツ状に加工されていることが好ましい。このとき、集塵フィルタ２３と脱臭フィルタ２４のプリーツ形状を同一形状とし且つそれぞれ接するようにすることが好ましく、フィルタユニット２２の厚さを薄くすることが出来る。なお、フィルタ枠３１を本体ケース１０に着脱自在に固定するために、フィルタ枠３１に係止爪（不図示）を設けることが好ましい。これにより各種フィルタの保守又は交換が容易となる。
【００２３】
次に光触媒を活性化する光を照射する光源及びその形状について説明する。図１に示すように本実施形態に係る光触媒脱臭装置１００は、ブロア２７の吸気口３０に向けて吸入空気の流れ１４ｃを整えるベルマウス２６をブロアハウジング１２の天板２９に配置している。ここでベルマウス２６は、ブロア２７の形状及び吸気口３０の形状に合わせて、ブロア軸方向からみてリング形状とすることが好ましい。ここで、図１（ｂ）に光源２５を配置したベルマウスの斜視概略図を示す。図１（ｂ）に示すように光源２５は、ベルマウスとほぼ同じ径のリング形状乃至はやや大きな径のリング形状とすることが好ましい。すなわち光源２５は、ベルマウス２６とほぼ同一径ないしベルマウス２６の外径とほぼ同一内径を有するリング形状としている。
【００２４】
リング形状の光源２５は紫外線照射用の管状ランプであり、水銀灯、陰極管（ＣＦＬ）、ブラックライト、冷陰極管（ＣＣＦＬ）又はキセノン外面電極ランプを用いることができる。リング形状の軸に対する横断面は滑らかな表面を形成したものであれば特に制限はないが、円形状、楕円形状、長方形又は釣鐘形状であることが好ましい。後述するように吸気口３０に向かって吸入される空気が、渦流となることなくスムーズに流れるようにさせるためである。
【００２５】
次に光源の配置と固定方法について説明する。図１に示した光触媒脱臭装置１００のうち、点線３２で囲った部分の部分拡大断面図を図２に示す。図２は、光源２５とベルマウス２６と天板２９の構造の一形態を示している。図２の光源２５は、リング形状の軸に対する横断面を円形状としたものである。図２に示したように、ブロアに吸入される空気流れ１４ｃの流れ方向についてベルマウス２６の表面と光源２５の表面とがほぼ連続面を形成するように吸い込み形状を一致させることが好ましい。このとき光源はブロアのケース又はベルマウスのいずれかに載設されることが好ましい。さらに図１に示したように脱臭フィルタ２４が全面照射される位置に光源２５を配置することが好ましい。このように光源２５をベルマウス２６の吸い込み形状に一致させるように一体形状に配置することで、図１に示した光触媒脱臭装置１００のように、脱臭フィルタ２４に対して光源２５を近くに配置したとしても光源２５による通気抵抗はほとんど発生しない。また、通気抵抗を上げることがないため、リング形状の光源２５の中心を脱臭フィルタ２４のフィルタ面の中央に配置しても良い。この場合、脱臭フィルタの全面に均一な紫外線を照射できる。従来はブラックライト等の棒状光源を配置すると、脱臭フィルタのフィルタ面のうち、光源から近い領域と遠い領域との紫外線強度が大きく異なり、光触媒の活性度の場所によるムラが生じていた。しかし本実施形態の場合、脱臭フィルタ面への紫外線の照射強度は、ほぼ全面で均一とすることができる。このように、光源による通気抵抗の上昇防止とフィルタ面への紫外線の均一照射とが同時に達成できる。
【００２６】
ここで、光源２５を固定するために、ブロアのケース又はベルマウス２６に、光源２５のリンク形状外周側から光源２５を保持する係止手段３３を設ける。係止手段３３は、例えば図２に示すように天板２９から垂直にピンを立上げ、光源２５のリンク形状外周側に向けて鉤を設ける形態が例示できる。係止手段３３について、図２の鉤の向きと反対側の側面は、渦流の発生を防止するために天板２９からなだらかに立ち上げても良い。
【００２７】
図１に示した光触媒脱臭装置１００のうち、点線３２で囲った部分の第２形態の部分拡大断面図を図３に示す。図３は光源２５のリング形状の軸に対する横断面を釣鐘形状とした場合を示している。ここで、ブロアに吸入される空気流れ１４ｃの流れ方向についてベルマウス２６の表面と釣鐘形状の山頂部表面２５ａ及び側面とがほぼ連続面を形成するように吸い込み形状を一致させている。また、釣鐘形状の底面２５ｂは、ブロアハウジングの天板２９に当接しているので、当該当接箇所では空気流れ１４ｃの舞い込みが生じない。なお、係止手段３３の構成及び光源２５と脱臭フィルタ２４との位置関係は、図１（ａ）及び図２で示した形態の場合と同様である。
【００２８】
図１に示した光触媒脱臭装置１００のうち、点線３２で囲った部分の第３形態の部分拡大断面図を図４に示す。図４は光源２５のリング形状の軸に対する横断面を長方形とした場合を示している。ここで、ブロアに吸入される空気流れ１４ｃの流れ方向についてベルマウス２６の表面と長方形の長手方向の表面２５ｃとがほぼ連続面を形成するように吸い込み形状を一致させている。また、長方形の短辺部分は、ブロアハウジングの天板２９に当接しているので、当該当接箇所では空気流れ１４ｃの舞い込みが生じない。なお、係止手段３３の構成及び光源２５と脱臭フィルタ２４との位置関係は、図１（ａ）及び図２で示した形態の場合と同様である。
【００２９】
また、光源２５は管状光源ではなく、リング形状の基板上に複数の紫外線照射の発光ダイオード素子（ＬＥＤ）を配置した光源としても良い。リング形状の基板上にＬＥＤを配置することで、サークル状の光源やサークル状の面光源が得られる。
【００３０】
ＬＥＤは光触媒を活性化させる波長の光を照射する。発光ダイオード素子には水銀が含まれないので、処理が容易でもある。発光ダイオード素子は、例えば３８０〜３８３ｎｍ（放射束２．３ｍＷ、放射強度５．４ｍＷ／ｓｒ）或いは３８３〜３８６ｎｍ（放射束２．６ｍＷ、放射強度５．７ｍＷ／ｓｒ）或いは３８６〜３８９ｎｍ（放射束３．５ｍＷ、放射強度７．７ｍＷ／ｓｒ）等の波長の光を照射するものを用いる。これにより、光触媒を効率よく活性化させることができる。
【００３１】
次に、本発明の第２実施形態を説明する。図５（ａ）は、本実施形態に係る光触媒脱臭装置２００を示す概略図で、図５（ｂ）は、図５（ａ）の中空柱体形状のフィルタ、光源及びベルマウスについて、ブロアの回転軸方向から見たときの概略図である。光触媒脱臭装置２００は、図１（ａ）の光触媒脱臭装置１００と比較してフィルタの形状が異なる。すなわち、脱臭フィルタを含むフィルタユニット２２は、内径が光源２５よりも大きな円筒形状、楕円筒形状若しくは角筒形状等の中空柱体形状とし、フィルタユニット２２の中空内面に配置された脱臭フィルタが全面照射される位置に光源２５を配置する。インテークハウジング１１の空気通路内に、空気流れが中空柱体形状のフィルタユニットの外面から内面に向かって通過するようにフィルタユニット２２を配置する。フィルタユニット２２を通過した空気流れ１４ｃは、光触媒脱臭装置１００の場合と同様にブロアの吸気口に向かって吸入される。このとき、光源２５をベルマウスの吸い込み形状に一致させることで、通気抵抗を上昇させずに、至近距離から脱臭フィルタの全面に光を照射することが可能となる。ここで、図５（ｂ）に示したように、至近距離から脱臭フィルタの全面に光を照射するために、中空柱体形状のフィルタ、光源及びベルマウスは、同一円心を有するように配置することが好ましい。また、図５（ａ）では、シール部材６２を設けて、空気が漏れないようにすると共に、中空柱体形状のフィルタユニット２２の開口部外側に光源２５を配置したが、脱臭フィルタへの光照射を阻害させず、通気抵抗を上昇させない範囲内で、中空柱体形状のフィルタユニット２２の開口部の直ぐ内部に光源２５とベルマウス２６を配置しても良い。なお、光源２５は管状光源ではなく、リング形状の基板上に複数の紫外線照射発光ダイオード素子を配置した光源としても良い。使用するＬＥＤは図１の光触媒脱臭装置１００の場合と同様である。光触媒脱臭装置２００について、フィルタユニット２２の形状とその配置以外の構成要素は、図１（ａ）の光触媒脱臭装置１００と同じであるため、説明を省略する。
【００３２】
次に、本発明の第３実施形態を説明する。図６（ａ）は本実施形態に係る光触媒脱臭装置３００を示す概略図である。光触媒脱臭装置３００は、図１（ａ）の光触媒脱臭装置１００と比較して光源５３の配置が異なる。すなわち光触媒脱臭装置１００では、光源２５をベルマウス２６の吸い込み形状に一致させてほぼ一体形状となるように配置したが、図６（ａ）の光触媒脱臭装置３００では、ベルマウス５４とほぼ同一平面上にファンガード５０を設け、ファンガード５０に設けたガイド５１の吸い込み形状に対して光源５３がほぼ一体形状となるように配置している。光触媒脱臭装置３００について、ベルマウス５４、ファンガード５０及び光源５３以外の構成要素は図１（ａ）の光触媒脱臭装置１００と同じであるため、説明を省略する。
【００３３】
まず、ファンガード５０について説明する。ファンガードは、一般にファンの空気吸気口に配置されるもので、外部からファンに接触できないようにするためのガード機能を有するものから、ガード機能に加えて吸気口に吸入される空気が渦流とならずスムーズに吸入されるようにリング形状のガイドを設けて静音機能を付与したものがある。本実施形態に係る光触媒脱臭装置３００では、外部からの異物はフィルタユニット２２が除去するため、吸気口３０に吸入される空気が渦流とならずスムーズに吸入されるようにリング形状のガイド５１，５２を設けたタイプが好ましい。ファンガードの材質は金属製、樹脂製のいずれでも良い。
【００３４】
図６（ｂ）に本実施形態に係るファンガード５０の斜視概略図を示す。ファンガード５０は、吸入空気の流れを整えるリング形状のガイド５１，５２を同一円心となるよう配列している。ガイド５１，５２の向きは、図６（ａ）に示すように吸気口３０に吸入される空気流れ１４ｃに沿った向きとする。これにより、渦流の発生が防止され、ブロアが静音化される。図６（ｂ）のファンガード５０では、ガイドが２つの場合を示したが、ガイド数はこれに限定されず１個或いは３個以上であっても良い。各ガイド５１，５２は固定部材５６によって相互に固定されている。そして、図６（ａ）に示すように、ブロア５０の吸気口３０に向けて吸入空気の流れを整えるリング形状のガイド５１，５２を配列したファンガード５０を吸気口３０の上流側手前に配置する。
【００３５】
第３形態の光触媒装置３００において、図６（ｂ）に示すように光源５３はガイド５１の吸い込み形状と一致させて一体形状とするためにガイド５１とほぼ同一径のリング形状とするが好ましい。ここで図７に図６の点線で囲った部分５５のガイドの拡大図を示す。図７に示すように、ブロアに吸入される空気流れ１４ｃ方向についてガイド５１の表面と光源５３の表面とがほぼ連続面を形成するように吸い込み形状を一致させることが好ましい。光源５３のリング形状の軸に対する横断面は、ガイド５１の厚さを薄くするために楕円形状又は長方形が特に好ましい。図７では光源５３のリング形状の軸に対する横断面が長方形の場合を示している。ここで、光源５３をガイド５１に固定するために、ガイド５１に光源５３のリンク形状外周側から光源５３を保持する係止手段５７を設ける。係止手段５７は、例えば図７に示すようにガイド５１からピンを立上げ、光源５３のリンク形状外周側に向けて鉤を設け、さらに鉤の向きと反対側の側面を、渦流の発生を防止するためにガイド５１と連続平面を形成するようにガイド５１からなだらかに立ち上げても良い。このなだらかな立ち上げは、前述の通り図２〜４の場合にも適用しうる。
【００３６】
また、光源５３は管状光源ではなく、リング形状の基板上に複数の紫外線照射発光ダイオード素子（ＬＥＤ）を配置した光源としても良い。使用するＬＥＤは図１の光触媒脱臭装置１００の場合と同様である。
【００３７】
図６（ａ）に示したように脱臭フィルタ２４を全面照射される位置に光源５３を配置することが好ましい。ファンガード５０のガイド５１の吸い込み形状に一致させるように光源５３を配置することで、図６（ａ）に示した光触媒脱臭装置３００のように、脱臭フィルタ２４に対して光源５３を近くに配置したとしても光源５３による通気抵抗はほとんど発生しない。また、通気抵抗を上げることがないため、リング形状の光源５３の中心を脱臭フィルタ２４のフィルタ面の中央に配置しても良く、この場合、脱臭フィルタの全面に均一な紫外線を照射できる。したがって第３形態においても、脱臭フィルタ面への紫外線の照射強度は、ほぼ全面で均一とすることができる。このように、光源による通気抵抗の上昇防止とフィルタ面への紫外線の均一照射とが同時に達成できる。
【００３８】
第３実施形態では、光源５３をガイド５１に一体形状となるように配置した例を示したが、ガイド５２とほぼ同一径のリング形状の光源をガイド５２の吸い込み形状に一致させて一体形状となるように配置してもよい。
【００３９】
本実施形態では、上記実施形態に限られず、種々の形態を採用可能である。例えば、第１又は第２実施形態において反射膜を、ブロアハウジング１２の天板２９やブロア２７などに設けてよい。また第３実施形態において反射膜を、光源を配置する以外のガイドに設けても良く、またブロアハウジング１２の天板２９やブロア２７などに反射膜を設けてよい。
【実施例】
【００４０】
図１に示した光触媒脱臭装置１００を使用して、脱臭フィルタの寿命の評価を行なった。リング形状の光源の断面は、図２に示した円状のものを使用した。すなわち、光源は円筒管状光源をリング形状に丸く形成したものである。脱臭フィルタは不織布からなるフィルタに光触媒を２％加えた活性炭を２５０ｇ／ｍ２で保持させたものを使用した。そして、紫外線を照射しながらトルエン１ｐｐｍを含む空気を浄化させる耐久試験を行なった。耐久試験時間は４００時間とした。評価は、耐久試験前後の吸着容量を比較した。すなわち、耐久試験後の吸着容量を耐久試験前の吸着容量で除して、吸着容量の残存率として求めた。これを実施例とした。
（比較例１）
【００４１】
脱臭フィルタが１本の直管状光源により全面照射される従来の光触媒脱臭装置を配置した。それ以外は実施例と同条件で吸着容量の残存率を求めた。これを比較例１とした。
（比較例２）
【００４２】
実施例において光源をオフとした以外は実施例と同条件として吸着容量の残存率を求めた。これを比較例２とした。
【００４３】
実施例、比較例１，２について、吸着容量の残存率の比較を図８に示した。比較例２では吸着容量の残存率が大きく低下しており、紫外線を照射して再生を図らなければ脱臭フィルタの寿命が極めて短いことがわかる。従来装置の比較例１でも吸着容量の残存率が低下していた。それに対して、実施例では吸着容量の残存率が９２％とほぼ新規の性能を維持していた。実施例では脱臭フィルタの全面に紫外線が照射されているので脱臭フィルタの再生効率が高く、吸着容量の残存率が高い。したがって脱臭フィルタは長寿命となると考えられる。なお、実施例は比較例１と比較して、通気抵抗も小さく、静音であった。
【図面の簡単な説明】
【００４４】
【図１】本実施形態に係る光触媒脱臭装置の一形態を示す概略図であって、（ａ）はインテークハウジング及びブロアハウジング内の構成例を示し、（ｂ）は光源及びベルマウスの斜視概略図である。
【図２】図１の光触媒脱臭装置１００のうち、点線３２で囲った部分の部分拡大断面図である。
【図３】図１の光触媒脱臭装置１００のうち、点線３２で囲った部分の第２形態の部分拡大断面図である。
【図４】図１の光触媒脱臭装置１００のうち、点線３２で囲った部分の第３形態の部分拡大断面図である。
【図５】本実施形態に係る光触媒脱臭装置の第２形態を示す概略図であって、（ａ）はインテークハウジング及びブロアハウジング内の構成例を示し、（ｂ）は中空柱体形状のフィルタ、光源及びベルマウスについてブロアの回転軸方向から見たときの概略図である。
【図６】本実施形態に係る光触媒脱臭装置の第３形態を示す概略図であって、（ａ）はインテークハウジング及びブロアハウジング内の構成例を示し、（ｂ）は光源及びファンガードの斜視概略図である。
【図７】図６の光触媒脱臭装置３００のうち、点線５５で囲った部分の部分拡大断面図である。
【図８】実施例、比較例１，２について、吸着容量の残存率の比較を示す図である。
【符号の説明】
【００４５】
１０  本体ケース
１１  インテークハウジング
１２  ブロアハウジング
１３、６１  インテークドア
１４ａ、１４ｂ、１４ｃ、１４ｄ、１４ｅ  空気流れ
１５  空調ハウジング
２０  空気吸気口
２０ａ  外気吸気口
２０ｂ  ６０  内気吸気口
２１ａ、２１ｂ、２１ｃ  空気通路
２２  フィルタユニット
２３  集塵フィルタ
２４  脱臭フィルタ
２５  光源
２６  ベルマウス
２７  ブロア
２８  電動モーター
２９  天板
３０  吸気口
３１  フィルタ枠
３３  係止手段
５０  ファンガード
５１，５２ガイド
５３  光源
５４  ベルマウス
５６  固定部材
５７  係止手段
６２  シール部材
１００，２００，３００  光触媒脱臭装置
【図１】
2005087465.tif 000003
【図２】
2005087465.tif 000004
【図３】
2005087465.tif 000005
【図４】
2005087465.tif 000006
【図５】
2005087465.tif 000007
【図６】
2005087465.tif 000008
【図７】
2005087465.tif 000009
【図８】
2005087465.tif 000010